【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
火災検出システムと火災抑制システムとの組み合わせにおいて、
エリアと関連した望ましくない高温を検出するべく構成された火災検出システムであって、
前記エリアに関連した温度情報を取得するべく構成された温度センサアレイを有する温度センサと、
前記温度センサと関連付けられた火災警報システムであって、前記温度センサから情報を受信すると共に、前記エリアと関連した望ましくない高温に基づいて警告信号を生成するべく構成された火災警報システムと、
前記火災警報システムと関連付けられた火災制御パネルであって、前記警告信号を受信するべく構成された火災制御パネルと、
を有する火災検出システムと、
少なくとも１つの火災抑制剤を前記望ましくない高温と関連した前記エリアに供給するべく構成された火災抑制剤供給システムを有する火災抑制システムと、
を備えた火災検出システムと火災抑制システムとの組み合わせ。
【請求項２】
前記温度センサアレイは、複数の温度検知装置が関連するベースを備え、
前記複数の温度検知装置は、前記温度検知装置の中の少なくとも１つのものが、少なくとも１つの他の温度検知装置が前記ベースに対して方向付けられている前記ベースに対する角度とは異なる前記ベースに対する角度に方向付けられるように、前記ベースと関連付けられている請求項１記載の組み合わせ。
【請求項３】
前記温度センサアレイは、複数の温度検知装置が関連するベースを備え、
前記複数の温度検知装置は、前記温度検知装置の中の少なくとも１つのものが、前記温度検知装置の中の少なくとも別のものが監視していない前記エリアの一部を監視するように、前記ベースに対して方向付けられている請求項１記載の組み合わせ。
【請求項４】
前記温度検知装置は、サーモパイルを有する請求項２記載の組み合わせ。
【請求項５】
前記温度センサは、前記温度センサの近傍における周囲温度を判定する装置を有する請求項１記載の組み合わせ。
【請求項６】
前記温度検知装置の少なくとも１つは、前記ベースに直交する軸に対する角度において前記ベースと関連付けられており、前記角度は、約１度〜約６０度の範囲を有する請求項４記載の組み合わせ。
【請求項７】
前記火災警報システムは、前記温度センサから受信した温度情報を基準温度と比較すると共に、前記エリアと関連した望ましくない高温が存在しているかどうかを判定するべく構成されている請求項１記載の組み合わせ。
【請求項８】
前記火災警報システムは、火災警報コンピュータを有しており、前記火災警報コンピュータは、前記エリアと関連した貨物ユニットの場所及びタイプを識別するようにプログラムされるべく構成されている請求項１記載の組み合わせ。
【請求項９】
前記少なくとも１つの火災抑制剤を更に有しており、該少なくとも１つの火災抑制剤は、窒素曝気フォーム及びアルゴン曝気フォームの中の少なくとも１つを有する請求項１記載の組み合わせ。
【請求項１０】
前記火災抑制剤供給システムは、火災抑制剤のコンテナと火災抑制剤を放出するように構成されたノズルとの間を連通状態にする少なくとも１つのマニホールド、を有する請求項１記載の組み合わせ。
【請求項１１】
前記ノズルと関連付けられた伸長装置を更に有しており、前記伸長装置は、前記ノズルを移動させるべく構成されている請求項１０記載の組み合わせ。
【請求項１２】
前記伸長装置は、モーターによって駆動する鋏装置を有する請求項１１記載の組み合わせ。
【請求項１３】
前記伸長装置は、空気圧によって作動するリニアアクチュエータを有する請求項１１記載の組み合わせ。
【請求項１４】
前記ノズルは障壁を貫通するべく構成された先端を有し、前記組み合わせは、前記ノズルと関連付けられた伸長装置を更に有しており、前記先端は、前記ノズルが前記障壁の背後において火災抑制剤を放出できるように、前記伸長装置が前記ノズルを移動させるのに伴って前記障壁を貫通するべく構成されている請求項１０記載の組み合わせ。
【請求項１５】
前記火災制御パネルは、火災警告警報、高温警報、警報と関連した貨物のタイプ、システム状態情報、及び貨物火災と関連した場所及び温度情報の中の少なくとも１つを表示するべく構成されている請求項１記載の組み合わせ。
【請求項１６】
貨物を保護するシステムにおいて、
請求項１記載の組み合わせと、
少なくとも１つの貨物コンテナと貨物パレットを有する少なくとも１つの貨物ユニットと、
を備えた貨物保護システム。
【請求項１７】
前記エリアは、前記少なくとも１つの貨物ユニットの上部表面を有する請求項１６記載の貨物保護システム。
【請求項１８】
前記温度センサは、前記少なくとも１つの貨物ユニットの上方に配置されている請求項１６記載の貨物保護システム。
【請求項１９】
前記火災抑制システムは、火災抑制剤を前記望ましくない高温と関連した前記エリアに供給するべく構成された火災抑制剤供給装置を有する請求項１６記載の貨物保護システム。
【請求項２０】
前記火災抑制剤供給装置は、ノズルと、前記ノズルを移動させるべく構成された伸長装置と、を有する請求項１６記載の貨物保護システム。
【請求項２１】
前記ノズルは、前記少なくとも１つの貨物ユニットの上部表面を貫通すると共に、火災抑制物質を前記少なくとも１つの貨物ユニットの内部に供給するべく構成された穿孔先端を有する請求項２０記載の貨物保護システム。
【請求項２２】
エリアと関連した望ましくない高温を検出するべく構成された火災検出システムにおいて、
エリアと関連した温度情報を取得するべく構成された温度センサアレイを有する温度センサと、
前記温度センサと関連付けられた火災警報システムであって、前記温度センサから情報を受信すると共に、前記エリアと関連した望ましくない高温に基づいて警告信号を生成するべく構成された火災警報システムと、
前記火災警報システムと関連付けられた火災制御パネルであって、前記警告信号を受信するべく構成された火災制御パネルと、
を備えた火災検出システム。
【請求項２３】
前記温度センサアレイは、複数の温度検知装置が関連するベースを備え、
前記複数の温度検知装置は、前記温度検知装置の中の少なくとも１つのものが、少なくとも１つの他の温度検知装置が前記ベースに対して方向付けられている前記ベースに対する角度とは異なる前記ベースに対する角度に方向付けられるように、前記ベースと関連付けられている請求項２２記載の火災検出システム。
【請求項２４】
前記温度センサアレイは、前記エリアに関連する温度情報を監視するように構成された複数の温度検知装置を有し、
前記温度検知装置は、サーモパイルを有する請求項２２記載の火災検出システム。
【請求項２５】
前記温度センサは、前記温度センサ近傍の周囲温度を判定する装置を有する請求項２２記載の火災検出システム。
【請求項２６】
前記火災警報システムは、複数の温度検出装置の各々から受信した温度情報を監視するように構成されたコンピュータを有する請求項２２記載の火災検出システム。
【請求項２７】
前記火災警報システムは、前記温度センサから受信した温度情報を基準温度と比較すると共に、前記エリアと関連した望ましくない高温が存在しているかどうかを判定するべく構成されている請求項２２記載の火災検出システム。
【請求項２８】
エリアと関連した温度情報を取得するべく構成された温度センサアレイにおいて、
ベースと、
温度検知装置が前記エリアの温度を監視するべく配列されるように、前記ベースと関連付けられた複数の前記温度検知装置と、
を備え、
前記温度検知装置の少なくとも１つは、少なくとも１つの他の温度検知装置が前記ベースに対して方向付けられている前記ベースに対する角度とは異なる前記ベースに対する角度に方向付けられている、
温度センサアレイ。
【請求項２９】
前記温度検知装置は、サーモパイルである請求項２８記載の温度センサ。
【請求項３０】
前記ベースは少なくとも１つの温度検出装置を受け入れるべく構成された複数の開口部を規定し、
前記開口部は、それぞれの温度検知装置が別の温度検知装置とは異なる前記エリアの少なくとも一部から温度情報を受信するように、前記温度検知装置のそれぞれが照準されるように、構成されている請求項２８記載の温度センサ。
【請求項３１】
前記温度センサ近傍の周囲温度を判定する装置を更に有する請求項２８記載の温度センサ。
【請求項３２】
前記温度検知装置の中の少なくとも１つは、前記ベースに直交する軸に対する角度において前記ベースと関連付けられており、前記角度は、約１度〜約６０度の範囲を有する請求項２８記載の温度センサ。
【請求項３３】
望ましくない高温を経験しているエリアの温度の低減、前記エリアと関連した火災の抑制、及び前記エリアと関連した火災の消火の中の少なくとも１つを実行するべく構成された火災抑制システムにおいて、
少なくとも１つの火災抑制剤を前記エリアに供給するべく構成された火災抑制剤供給システムであって、
界面活性剤を収容する第１コンテナと、
ガスを収容する第２コンテナと、
前記第１及び第２コンテナと連通状態にある少なくとも１つのマニホールドと、
を有する火災抑制剤供給システムと、
前記少なくとも１つのマニホールドと連通状態にあるノズルであって、前記界面活性剤及び前記ガスを混合することによって生成された火災抑制剤を放出するべく構成されたノズルと、
前記ノズルと関連付けられた伸長装置であって、前記ノズルを移動させるべく構成された伸長装置と、
を備えた火災抑制システム。
【請求項３４】
前記ノズルは、該ノズルが火災抑制剤を障壁の背後のエリア内に放出できるように、前記障壁を貫通するべく構成された先端を有する請求項３３記載の火災抑制システム。
【請求項３５】
前記先端は、前記ノズルが前記障壁の背後において火災抑制剤を放出できるように、前記伸長装置が前記ノズルを伸長させるのに伴って前記障壁を貫通するべく構成されている請求項３４記載の火災抑制システム。
【請求項３６】
前記火災抑制剤供給システムは、前記界面活性剤の供給及び前記ガスの供給と連通状態となるように構成された混合エリアを有する請求項３３記載の火災抑制システム。
【請求項３７】
前記混合エリアは、前記第１及び第２コンテナと前記少なくとも１つのマニホールドの間に配置されている請求項３６記載の火災抑制システム。
【請求項３８】
前記火災抑制剤は、窒素曝気フォーム及びアルゴン曝気フォームの中の少なくとも１つを有する請求項３３記載の火災抑制システム。
【請求項３９】
前記界面活性剤は、前記ガスと混合された際にフォーム剤を生成するべく構成された少なくとも１つの物質を有する請求項３３記載の火災抑制システム。
【請求項４０】
前記伸長装置は、モーターによって駆動する鋏装置を有する請求項３３記載の火災抑制システム。
【請求項４１】
前記伸長装置は、空気圧によって動作するリニアアクチュエータを有する請求項３３記載の火災抑制システム。